(57)【要約】      （修正有）【課題】内部にたまった雪が凍結した場合でも排水が可能な排水舗装用路面排水溝の構造を提供する。【解決手段】金属製筒状本体１１の上面に金属製蓋体２０を備えた路面用排水溝１０の金属製筒状本体１１の路面Ｒ側の側壁部１４（１４ａ）の長手方向に沿って側室３０が連設されており、側室３０には上部側に排水舗装のための透水部３５が形成されているとともに、側室３０には筒状本体１１と連通する通水部３６が形成されている。また、側室３０は排水舗装内に埋設され、少なくとも側室３０上面に透水部３５が形成されている。【選択図】図４
0003195244.tif 000002
【実用新案登録請求の範囲】
【請求項１】
金属製筒状本体の上面に金属製蓋体を備えた路面用排水溝の前記金属製筒状本体の路面側の側壁部の長手方向に沿って側室が連設されており、
前記側室には上部側に排水舗装のための透水部が形成されているとともに、前記側室には前記筒状本体と連通する通水部が形成されていることを特徴とする排水舗装用路面排水溝の構造。
【請求項２】
前記側室が排水舗装内に埋設され、少なくとも前記側室上面に前記透水部が形成されている請求項１記載の排水舗装用路面排水溝の構造。
【請求項３】
前記側室が前記筒状本体と中間室を介して連設されている請求項１または２に記載の排水舗装用路面排水溝の構造。
【請求項４】
前記通水部が前記側室の中間室側の壁部上部に形成されており、前記中間室の前記筒状本体側の壁部下部には前記通水部と連通する流水部が形成されている請求項３に記載の排水舗装用路面排水溝の構造。
【考案の詳細な説明】
【技術分野】
【０００１】
本考案は、排水舗装用の路面に埋設される排水溝に関し、特に、冬季の積雪量が多い寒冷地に対応した排水舗装用路面排水溝の構造に関する。
【背景技術】
【０００２】
近年、道路等の路面表面の水はけ性をよくするために、透水性のあるアスファルト等で形成した排水舗装（透水性舗装）が多用されている。このような排水舗装用の路面にあっては、路面の雨水等は路面上面を流れるとともに舗装部内に浸透して、排水溝水路に集水されて排水される。
【０００３】
この種の排水溝水路の構造では、上部に樋部が形成された筒状の流水部と、流水部の樋部に取り付けられる蓋部とを備えた金属製の路面排水溝を路面内部に配設することで、路面表面から雨水等を集水すると同時に、排水舗装部内に浸透した水を導入する構造が知られている（例えば、特許文献１参照。）。この路面排水溝は、加工が容易で耐久性に優れており、コンクリート製品に比して軽量であるから現場での作業性を簡略化でき、蓋部の脱着が可能で点検清掃や交換を簡単かつ効率よく実施することができる。
【０００４】
上記路面排水溝は積雪がある寒冷地にも設置されるが、冬季の積雪量が多い場合、例えば、排水構内に雪が降り積もったり、道路端に除雪された雪が排水構内に侵入してたまることがある。そして、寒冷地であることから、排水構内にたまった雪は解けずに凍結し、気温が上昇する雪解けの時期まで凍結したまま排水構内に残留してしまう。これにより、排水溝がふさがってしまい、排水舗装からの流水等の排水を行うことができなくなる等、十分な排水機能を果たすことができなくなる問題があった。
【先行技術文献】
【特許文献】
【０００５】
【特許文献１】特許第３９３０８３９号
【考案の概要】
【考案が解決しようとする課題】
【０００６】
本考案は前記の点に鑑みなされたものであり、内部にたまった雪が凍結した場合でも排水が可能な排水舗装用路面排水溝の構造を提供するものである。
【課題を解決するための手段】
【０００７】
すなわち、請求項１の考案は、金属製筒状本体の上面に金属製蓋体を備えた路面用排水溝の前記金属製筒状本体の路面側の側壁部の長手方向に沿って側室が連設されており、前記側室には上部側に排水舗装のための透水部が形成されているとともに、前記側室には前記筒状本体と連通する通水部が形成されていることを特徴とする排水舗装用路面排水溝の構造に係る。
【０００８】
請求項２の考案は、前記側室が排水舗装内に埋設され、少なくとも前記側室上面に前記透水部が形成されている請求項１記載の排水舗装用路面排水溝の構造に係る。
【０００９】
請求項３の考案は、前記側室が前記筒状本体と中間室を介して連設されている請求項１または２に記載の排水舗装用路面排水溝の構造に係る。
【００１０】
請求項４の考案は、前記通水部が前記側室の中間室側の壁部上部に形成されており、前記中間室の前記筒状本体側の壁部下部には前記通水部と連通する流水部が形成されている請求項３に記載の排水舗装用路面排水溝の構造に係る。
【考案の効果】
【００１１】
請求項１の考案に係る排水舗装用路面排水溝の構造は、金属製筒状本体の上面に金属製蓋体を備えた路面用排水溝の前記金属製筒状本体の路面側の側壁部の長手方向に沿って側室が連設されており、前記側室には上部側に排水舗装のための透水部が形成されているとともに、前記側室には前記筒状本体と連通する通水部が形成されているため、筒状本体内の凍結にかかわらず排水を行うことが可能となる。
【００１２】
請求項２の考案は、請求項１において、前記側室が排水舗装内に埋設され、少なくとも前記側室上面に前記透水部が形成されているため、積雪時の側室内の凍結を抑制することができるとともに、排水舗装内の雨水等をより効率よく集水することができる。
【００１３】
請求項３の考案は、請求項１または２において、前記側室が前記筒状本体と中間室を介して連設されているため、側室内がより凍結しにくくなって積雪時の排水をより良好に行うことができる。
【００１４】
請求項４の考案は、請求項３において、前記通水部が前記側室の中間室側の壁部上部に形成されており、前記中間室の前記筒状本体側の壁部下部には前記通水部と連通する流水部が形成されているため、筒状本体内に雪がたまっても側室内の排水を妨げるおそれがない。
【図面の簡単な説明】
【００１５】
【図１】本考案の一実施例に係る排水舗装用路面排水溝の斜視図である。
【図２】図１の路面排水溝の縦断面図である。
【図３】図２のＡ−Ａ断面図である。
【図４】排水舗装用路面排水溝の設置例を表す断面図ある。
【考案を実施するための形態】
【００１６】
図１，２，４は、道路や駐車場等の排水舗装（透水性舗装）用の路面Ｒ内に埋設される排水舗装用路面排水溝１０の構造であり、金属製筒状本体１１と、金属製蓋体２０と、側室３０とを備える。この排水舗装用路面排水溝１０は、特に、冬季の積雪量が多い寒冷地での使用を目的とする。図４において、符号Ｂは縁石ブロック、Ｍ１はコンクリート層、Ｍ２は基礎材層、Ｒ１は排水舗装用路面Ｒの密粒度アスファルト層、Ｒ２は排水舗装用路面Ｒの粗粒度アスファルト層、Ｒ３は排水舗装用路面Ｒの砕石層、Ｒｒは縁石ブロックＢの反対側となる車道側の路面を表す。
【００１７】
金属製筒状本体１１は、図１〜図４に示すように、路面Ｒ内部に埋設され、上面に路面Ｒからの雨水等を集水する樋部１２が形成されて適宜の配水管等へ排水する鋼板等の金属板からなる。実施例の筒状本体１１は、底部を構成する底板部１３と、底板部１３の両端辺に対向して立設される側壁部１４（１４ａ，１４ｂ）とからなり、側壁部１４の上部に樋部１２が形成されている。図において、符号１２ａは路面Ｒ側の側壁部１４ａ上端に連接された樋部１２を構成するための樋壁部、１２ｂは樋壁部１２ａと対向して縁石ブロックＢ側の側壁部１４ｂと一体に形成された樋部１２を構成するための樋壁部、１５は路面Ｒ側の樋壁部１２ａの複数個所に形成された路面Ｒ内に滲み込む雨水等を筒状本体１１内へ集水するための集水孔である。
【００１８】
金属製蓋体２０は、図１，２，４に示すように、金属製筒状本体１１の上面の樋部１２に取り付けられて、筒状本体１１内への落ち葉やゴミ等の侵入を抑制する部材である。実施例の蓋体２０は、長手方向に並設された断面Ｉ字状の主部材（ベアリングバー）２１と、主部材２１に格子状に直交する補強部材２２と、筒状本体１１内に立設可能とするための蓋脚部２３とからなり、筒状本体１１の底板部１３に立設されてボルト等の取付部材（図示せず）により樋部１２に固定される。
【００１９】
側室３０は、図１〜図４に示すように、金属製筒状本体１１の路面Ｒ側の側壁部１４ａの長手方向に沿って連設された空間部分であり、上部側に排水舗装のための透水部３５が形成されているとともに、筒状本体１１と連通する通水部３６が形成されている。この側室３０は、排水舗装用路面Ｒ内に埋設されて、筒状本体１１内の凍結に関係なく排水舗装用路面Ｒ内に滲み込む雨水等を集水して流通させ、そのまま排水する。実施例の側室３０は、透水部３５を有する略水平な側室上面部３２と、側室上面部３１と一体に連接されて筒状本体１１の底板部１３に立設される側室側面部３３とからなる逆Ｌ字状の側室壁部３１が路面Ｒ側の樋壁部１２ａ下部と一体に連接されているとともに、筒状本体１１の路面Ｒ側の側壁部１４ａ上部に通水部３６が形成されて、逆Ｌ字状の側室壁部３１と側壁部１４ａとで構成される。なお、透水部３５は集水効率と強度の観点から、側室上面部３２にスリット状に複数個所形成される。一方、通水部３６の形状等は特に限定されるものではなく、図３に図示のように側壁部１４ａに窓状に複数個所形成してもよいし、スリット状（図示せず）に複数個所形成してもよい。
【００２０】
また、側室３０は、図２，４に示すように、筒状本体１１と中間室４０を介して連設されている。中間室４０は、筒状本体１１と側室３０とを隔離して凍結中の筒状本体１１内からの側室３０への凍結等の影響を抑制する空間である。実施例の中間室４０は、筒状本体１１の路面Ｒ側の側壁部１４ａと、蓋体２０の路面Ｒ側の蓋脚部２３ａとで構成される。そして、中間室４０では、側室３０の中間室４０側の壁部となる側壁部１４ａの上部に通水部３６が形成され、筒状本体１１側の壁部となる蓋脚部２３ａの下部に通水部３６と連通する流水部４５が形成されている。流水部４５の形状は、図示しないが、流水効率と強度の観点から、蓋脚部２３ａにスリット状に複数個所形成される。
【００２１】
本考案の排水舗装用路面排水溝１０の構造では、図４に示すように、排水舗装（透水性舗装）用の路面Ｒ内に設置することにより、路面Ｒの表面の雨水等を蓋体２０を介して筒状本体１１の樋部１２から集水して排水する一方、路面Ｒ内に滲み込む雨水等を集水孔１５を介して筒状本体１１内に集水して排水するとともに、透水部３５を介して側室３０内に集水して排水する。すなわち、筒状本体１１と側室３０とで排水を行うため、排水効率が向上する。
【００２２】
この路面排水溝１０を冬季の積雪量が多い寒冷地に設置した場合には、蓋体２０を介して露出（開口）している筒状本体１１内に降り積もった雪や除雪された雪等が入り凍結して筒状本体１１内をふさぐことがあるが、路面Ｒ内に滲み込む雨水等は側室３０上部の透水部３５を介して側室３０内に集水される。側室３０内に集水された雨水等は、側室３０内をそのまま流通して排水される一方、集水量が過剰となった場合には、通水部３６を介して連通する筒状本体１１内へ雨水等を流し、側室３０から雨水等があふれることを抑制する。このように、路面Ｒ内からの雨水等を集水するとともに筒状本体１１と連通する側室３０を設けたことにより、筒状本体１１内の凍結にかかわらず排水を行うことが可能となり、寒冷地での使用に適した路面排水溝１０を提供することができる。
【００２３】
特に、路面排水溝１０においては、筒状本体１１が露出しているのに対して側室３０が排水舗装内に埋設されて露出していないことから、積雪時に側室３０内へ雪が侵入することがなく、積雪の影響による内部の凍結を抑制することができる。また、埋設された側室３０の上面に透水部３５を形成することにより、路面Ｒ内の雨水等をより効率よく集水することができる。
【００２４】
さらに、中間室４０を介して筒状本体１１と側室３０とを連設することにより、筒状本体１１と側室３０とが隔離されるため、筒状本体１１内が凍結していた場合の筒状本体１１内の冷気等の影響を抑制することができて側室３０内がより凍結しにくくなり、積雪時の排水をより良好に行うことができる。また、通水部３６を側室３０の中間室４０側の壁部（側壁部１４ａ）上部に形成し、中間室４０の筒状本体１１側の壁部（蓋脚部２３ａ）下部に通水部３６と連通する流水部４５を形成することにより、側室３０からあふれる水は筒状本体１１内へ流すことができる一方、筒状本体１１内にたまった雪等は側室３０内へ入り込むことがなくなり、筒状本体１１内に雪がたまっても側室３０内の排水を妨げるおそれがない。
【００２５】
なお、本考案の排水舗装用路面排水溝の構造は、前述の実施例のみに限定されるものではなく、考案の趣旨を逸脱しない範囲において構成の一部を適宜に変更して実施することができる。
【産業上の利用可能性】
【００２６】
以上のとおり、本考案の排水舗装用路面排水溝の構造は、金属製筒状本体の路面側の側壁部の長手方向に沿って連接された側室により、筒状本体内が積雪により凍結しても排水舗装からの雨水等を側室において集水して排水することが可能となる。そのため、冬季の積雪量が多い寒冷地においても十分な排水機能を発揮する路面排水溝を提供することができる。
【符号の説明】
【００２７】
１０    排水舗装用路面排水溝
１１    金属製筒状本体
１２    樋部
１３    底板部
１４    側壁部
１５    集水孔
２０    金属製蓋体
２１    主部材
２２    補強部材
２３    蓋脚部
３０    側室
３１    側室壁部
３２    側室上面部
３３    側室側面部
３５    透水部
３６    通水部
４０    中間室
４５    流水部
Ｂ      縁石ブロック
Ｒ      排水舗装用路面
【図１】
0003195244.tif 000003
【図２】
0003195244.tif 000004
【図３】
0003195244.tif 000005
【図４】
0003195244.tif 000006